(57)【特許請求の範囲】
【請求項１】
水泳パンツにおける腰回り部に挿通される腰紐の両端部を被覆する軟質樹脂からなる腰紐より幅の大きい水着腰紐端部部材において、
薄い板状であって、上端部と下端部に平面部を具備し、
前記水着腰紐端部部材は着用者の肌及び水着の内側面に挟着されるものとしたことを特徴とする水着腰紐端部部材。
【請求項２】
水泳パンツにおける腰回り部に挿通される腰紐の両端部を被覆する軟質樹脂からなる腰紐より幅の大きい水着腰紐端部部材において、
薄い板状であって、上端部と下端部の両面の平面部に突起物を具備し、
前記水着腰紐端部部材は着用者の肌及び水着の内側面に挟着されるものとしたことを特徴とする水着腰紐端部部材。
【請求項３】
水泳パンツにおける腰回り部に挿通される腰紐の両端部を被覆する軟質樹脂からなる腰紐より幅の大きい水着腰紐端部部材において、
薄い板状であって、上端部か下端部のいずれか一方の片面の平面部に突起物を具備し、
前記水着腰紐端部部材は着用者の肌及び水着の内側面に挟着されるものとしたことを特徴とする水着腰紐端部部材。
【請求項４】
水泳パンツにおける腰回り部に挿通され、軟質樹脂からなる腰紐より幅の大きい水着腰紐端部部材を両端部に被覆する腰紐において、
請求項１又は請求項２又は請求項３に記載の水着腰紐端部部材を具備したことを特徴とする腰紐。
【請求項５】
軟質樹脂からなる腰紐より幅の大きい水着腰紐端部部材を両端部に被覆した腰紐を腰回り部に挿通される水泳パンツにおいて、
請求項４に記載の腰紐を具備したことを特徴とする競泳用水着。
【発明の詳細な説明】
【技術分野】
【０００１】
本発明は、水泳パンツにおける腰紐の端部に取り付けるものであって、特に競泳用水着における腰紐の端部に取り付ける水着腰紐端部部材、腰紐及び競泳用水着に関するものである。
【背景技術】
【０００２】
従来、水泳パンツ等において、ベルト代わりに用いられる腰紐は、その両端部に特別の処理がなされていなかった。
このため、従来の水泳用パンツの腰紐は、両端がばらけ易く、使用に不便であると共に
見栄えが悪くなるという問題があった。また、図１に示すように、水泳パンツ１の腰回り部１ａに開口部１ｂを通じて、腰紐２を挿通して使用するが、腰紐２を一方に強く引っ張ったときには、他端部が腰回り部１ａ内に入ってしまい、使用に不便になるという問題もあった。
【０００３】
このような、問題を解決する為に、腰紐２の両端に、これら両端部を被覆するゴムカバー部３を有する水泳パンツ用腰紐が公知である。（例えば、特許文献１参照）
【０００４】
これにより、特許文献１に係る水泳パンツ用腰紐にあっては、両端部がばらけず、使用に便利であると共に見栄えがよく、又一方に強く引っ張っても内部に入ってしまうという不便を回避できるものである。
【０００５】
また、特許文献１係る水泳パンツ用腰紐の代用として、腰紐の端部を丸結びにして、一方に強く引っ張っても内部に入ってしまわないようにすること等が通常行われている。
また、これらの腰紐は、水泳パンツのウエストサイズを調節した後、腰紐同士を結び、結び目が腹部の中央位置にくるようにするのが一般的である。
【０００６】
一方で、水泳競技においては、１／１００秒のスピードを競うことから、水との流体抵抗がそのタイムに大きく影響する。特に、泳中の流体抵抗が大きいため、競泳用女性水着では水との流体抵抗の大小によって記録に重大な違いが生じてしまうことが判明している。
【０００７】
また、競泳用男性水着においては、ウエストサイズを調節した後、腰紐同士を結び、結び目が腹部の中央位置に設けていたが、腹部に結び目を設けることによって、競泳用男性水着における腹部の縁部から泳中に水が浸入してしまうこともある。この水の浸入は、競泳の男性用水着における腹部の縁部を振動させて乱流を形成する結果となり、水の推進抵抗を増大させてしまう。
【０００８】
このような問題が生じることから、現在ではウエストサイズを調節した後、図２に示すようにして、競泳用水着４の腰回り部４ａに設けられた腰紐２の端部２ａに丸結び部５を形成して、当該丸結び部５を、着用者における腰骨７の外側近傍の肌に着接させて、競泳用水着４で狭装させて装着することが一般的である。
【特許文献１】実開平７−１００３号公報
【発明の開示】
【発明が解決しようとする課題】
【０００９】
しかし、一般的に行われている競泳用水着４における腰紐２の端部２ａの丸結び部５を、着用者における腰骨７の外側近傍の肌に着接させて、競泳用水着４で狭装させて装着することは、着用者にとって、肌への接触感が悪い又はゴツゴツする等といった不快感も多く、また、丸結び部５を設けることで、当該部分が丸く膨らみ、泳中の水への抵抗も増すことも懸念される。
【００１０】
そこで、本発明はこのような問題点を解決するものであって、水泳パンツにおける腰紐の端部に取り付けるものであって、特に競泳用水着における腰紐の端部に取り付ける水着腰紐端部部材、腰紐及び競泳用水着を提供することを課題とする。
【課題を解決するための手段】
【００１１】
前記問題点を解決するために、本発明の請求項１に記載の発明の水着腰紐端部部材は、水泳パンツにおける腰回り部に挿通される腰紐の両端部を被覆する軟質樹脂からなる腰紐より幅の大きい水着腰紐端部部材において、薄い板状であって、上端部と下端部に平面部を具備し、前記水着腰紐端部部材は着用者の肌及び水着の内側面に挟着されるものとしたことを特徴とするものである。
【００１２】
また、本発明の請求項２に記載の発明の水着腰紐端部部材は、水泳パンツにおける腰回り部に挿通される腰紐の両端部を被覆する軟質樹脂からなる腰紐より幅の大きい水着腰紐端部部材において、薄い板状であって、上端部と下端部の両面の平面部に突起物を具備し、前記水着腰紐端部部材は着用者の肌及び水着の内側面に挟着されるものとしたことを特徴とするものである。
【００１３】
また、本発明の請求項３に記載の発明の水着腰紐端部部材は、水泳パンツにおける腰回り部に挿通される腰紐の両端部を被覆する軟質樹脂からなる腰紐より幅の大きい水着腰紐端部部材において、薄い板状であって、上端部か下端部のいずれか一方の片面の平面部に突起物を具備し、前記水着腰紐端部部材は着用者の肌及び水着の内側面に挟着されるものとしたことを特徴とするものである。
【００１４】
また、本発明の請求項４に記載の発明は、水泳パンツにおける腰回り部に挿通され、軟質樹脂からなる腰紐より幅の大きい水着腰紐端部部材を両端部に被覆する腰紐において、請求項１又は請求項２又は請求項３に記載の水着腰紐端部部材を具備したことを特徴とするものである。
【００１５】
また、本発明の請求項５に記載の発明は、軟質樹脂からなる腰紐より幅の大きい水着腰紐端部部材を両端部に被覆した腰紐を腰回り部に挿通される水泳パンツにおいて、請求項４に記載の腰紐を具備したことを特徴とするものである。
（作用）
【００１６】
請求項１記載に係る水着腰紐端部部材では、薄い板状であって、上端部と下端部に平面部を具備し、前記水着腰紐端部部材は着用者の肌及び水着の内側面に挟着されるものとしたので、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材が腰骨の外側近傍の肌及び競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
【００１７】
請求項２記載に係る水着腰紐端部部材では、薄い板状の上端部と下端部の両面の平面部に突起物を具備し、前記水着腰紐端部部材は着用者の肌及び水着の内側面に挟着されるものとしたので、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材における両面の平面部の前記突起物が腰骨の外側近傍の肌及び競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
【００１８】
請求項３記載に係る水着腰紐端部部材では、薄い板状の上端部か下端部のいずれか一方の片面の平面部に突起物を具備し、前記水着腰紐端部部材は着用者の肌及び水着の内側面に挟着されるものとしたので、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材における片面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
【００１９】
請求項４記載に係る腰紐では、請求項１又は請求項２又は請求項３に記載の水着腰紐端部部材を具備したので、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材又は水着腰紐端部部材における片面又は両面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
【００２０】
請求項５記載に係る競泳用水着では、請求項４に記載の腰紐を具備したので、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材又は水着腰紐端部部材における片面又は両面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
【発明の効果】
【００２１】
請求項１の発明によれば、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材が腰骨の外側近傍の肌及び競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
このようにして、水着腰紐端部部材は作用し、常に適正な位置に取り付けることができ、また、軟質樹脂から形成されているため、着用者における肌への接触感が悪い又はゴツゴツする等といった不快感もなくなる。
また、水着腰紐端部部材は厚みも薄いため、従来の腰紐に設けられていた丸結び部よりも泳中の水への抵抗も減らすことができ、記録更新にもつながる。
【００２２】
請求項２の発明によれば、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材における両面の平面部の前記突起物が腰骨の外側近傍の肌及び競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
このようにして、水着腰紐端部部材は作用し、常に適正な位置に取り付けることができ、また、軟質樹脂から形成されているため、着用者における肌への接触感が悪い又はゴツゴツする等といった不快感もなくなる。
また、水着腰紐端部部材は厚みも薄いため、従来の腰紐に設けられていた丸結び部よりも泳中の水への抵抗も減らすことができ、記録更新にもつながる。
【００２３】
請求項３の発明によれば、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材における片面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
このようにして、水着腰紐端部部材は作用し、常に適正な位置に取り付けることができ、また、軟質樹脂から形成されているため、着用者における肌への接触感が悪い又はゴツゴツする等といった不快感もなくなる。
また、水着腰紐端部部材は厚みも薄いため、従来の腰紐に設けられていた丸結び部よりも泳中の水への抵抗も減らすことができ、記録更新にもつながる。
【００２４】
請求項４の発明によれば、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材又は水着腰紐端部部材における片面又は両面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
このようにして、水着腰紐端部部材は作用し、常に適正な位置に取り付けることができ、また、軟質樹脂から形成されているため、着用者における肌への接触感が悪い又はゴツゴツする等といった不快感もなくなる。
また、水着腰紐端部部材は厚みも薄いため、従来の腰紐に設けられていた丸結び部よりも泳中の水への抵抗も減らすことができ、記録更新にもつながる。
【００２５】
請求項５の発明によれば、着用者が水着腰紐端部部材を腰紐の端部に設けた競泳用水着を着用した際、腰紐の端部は、腰骨の外側近傍の肌及び競泳用水着の内側面に狭着されるので、腰紐を引っ張って抜こうとしても、狭着されている水着腰紐端部部材又は水着腰紐端部部材における片面又は両面の平面部の前記突起物が競泳用水着の内側面において、抵抗となってずれることはない。また、ずれることがあっても、水着腰紐端部部材は腰骨にて抑止され、抜けることはない。よって、水着腰紐端部部材を常に適正な位置に取り付けることができる。
このようにして、水着腰紐端部部材は作用し、常に適正な位置に取り付けることができ、また、軟質樹脂から形成されているため、着用者における肌への接触感が悪い又はゴツゴツする等といった不快感もなくなる。
また、水着腰紐端部部材は厚みも薄いため、従来の腰紐に設けられていた丸結び部よりも泳中の水への抵抗も減らすことができる。
更に、水着腰紐端部部材は厚みも薄いため、従来の腰紐に設けられていた丸結び部よりも着用時における、競泳用水着の意匠性も増すことができる。
【００２６】
以下、本発明の実施の形態における水着腰紐端部部材、腰紐及び競泳用水着を図面に基づいて説明する。
【実施例１】
【００２７】
本発明の水着腰紐端部部材の実施例１について図３乃至図９に基づいて説明する。
【００２８】
図３及び図８に示すように、水着腰紐端部部材６及び突起物６ａは、塩化ビニル、ポリウレタン及びシリコーンゴム等の軟質樹脂からなり、競泳用水着４における腰紐２の端部２ａに一体成形されるものである。図３及び図８において、それぞれの形態は異なるものであるが、同様の作用及び効果を奏するものである。以下に、説明する。
【００２９】
仕様例１として、図３に示す前記水着腰紐端部部材６は、長さ３８ｍｍ、幅１１ｍｍ、厚さ５ｍｍの外寸で、突起物６ａ、上端部６ｂ、下端部６ｃ、先端部６ｄ及び斜辺部６ｅを有してなるものである。
前記斜辺部６ｅは、前記上端部６ｂ及び前記下端部６ｃから、前記先端部６ｄにかけて形成されている。図３（ａ）に示すように、前記斜辺部６ｅは前記先端部６ｄに向かって、その幅を狭めるようにして略台形とし、また図３（ｂ）に示すように、前記斜辺部６ｅは前記先端部６ｄに向かって、前記先端部６ｄを尖らせるように丸くして形成される。
前記突起物６ａは、前記上端部６ｂ及び前記下端部６ｃの平面部に、水着腰紐端部部材６の長さ方向に対して、夫々所定の間隔６．５ｍｍ程度を有して３箇所ずつ並列して設けられる。また、前記突起物６ａは、前記水着腰紐端部部材６における前記先端部６ｄを下方になるように位置させたとき、幅方向における前記先端部６ｄの中心線上を基準にして、Ｖ字型になるように形成されている。
また、前記突起物６ａの高さは、前記先端部６ｄから前記腰紐２が取り付けられる他端部側へ向かって高くなり、前記先端部６ｄ側では０．５ｍｍ程度、腰紐２が取り付けられる他端部側では１ｍｍ程度あればよい。
また、着用者に不快感がないように、各角部は丸くされている。
【００３０】
このようにして形成される図３に示す仕様例１の水着腰紐端部部材６は、前記競泳用水着４における前記腰紐２の端部２ａに一体成形される。
【００３１】
仕様例２として、図４に示す前記水着腰紐端部部材６は、仕様例１に示すものと同様、長さ３８ｍｍ、幅１１ｍｍ、厚さ５ｍｍの外寸で、突起物６ａ、上端部６ｂ、下端部６ｃ及び先端部６ｄを有してなる略長方形のものである。
前記突起物６ａは、仕様例１と同様にして形成され、前記上端部６ｂ及び前記下端部６ｃの平面部に、水着腰紐端部部材６の長さ方向に対して、夫々所定の間隔１１ｍｍ程度を有して３箇所ずつ並列して設けられる。
また、着用者に不快感がないように、各角部は丸くされている。
【００３２】
このようにして形成される図４に示す仕様例２の前記水着腰紐端部部材６は、前記競泳用水着４における前記腰紐２の端部２ａに一体成形される。
【００３３】
仕様例３として、図５に示す前記水着腰紐端部部材６は、図３に示す仕様例１の前記水着腰紐端部部材６と同様の外形を有するものであり、前記上端部６ｂ及び前記下端部６ｃの平面部に設けられる前記突起物６ａの個数が相違するものである。
仕様例１においては、前記突起物６ａは、前記上端部６ｂ及び前記下端部６ｃの平面部に、水着腰紐端部部材６の長さ方向に対して、夫々所定の間隔を有して３箇所ずつ並列して設けられていたが、仕様例３においては、前記上端部６ｂ及び前記下端部６ｃの平面部の前記先端部６ｄ側にのみ設けられている。
また、着用者に不快感がないように、各角部は丸くされている。
【００３４】
このようにして形成される図５に示す仕様例３の前記水着腰紐端部部材６は、前記競泳用水着４における前記腰紐２の端部２ａに一体成形される。
【００３５】
仕様例４として、図６に示す前記水着腰紐端部部材６は、仕様例２に示すものと同様、長さ３８ｍｍ、幅１１ｍｍ、厚さ５ｍｍの外寸で、突起物６ａ、上端部６ｂ、下端部６ｃ及び先端部６ｄを有してなる略舌片状のものである。
図６（ａ）に示すように、前記先端部６ｄにおいては、仕様例２と異なり、前記先端部６ｄから５ｍｍ程度の位置までを円弧状に形成している。
仕様例２においては、前記突起物６ａは、前記上端部６ｂ及び前記下端部６ｃの平面部に、水着腰紐端部部材６の長さ方向に対して、夫々所定の間隔を有して３箇所ずつ並列して設けられていたが、仕様例４においては、前記上端部６ｂ及び前記下端部６ｃの平面部の前記先端部６ｄ側にのみ設けられている。
また、着用者に不快感がないように、各角部は丸くされている。
【００３６】
このようにして形成される図６に示す仕様例４の前記水着腰紐端部部材６は、前記競泳用水着４における前記腰紐２の端部２ａに一体成形される。
【００３７】
仕様例５として、図７に示す前記水着腰紐端部部材６は、長さ３８ｍｍ、幅１１ｍｍ、厚さ５ｍｍの外寸で、突起物６ａ、上端部６ｂ、下端部６ｃ及び先端部６ｄを有してなる略舌片状のものである。
図７（ａ）に示すように、前記先端部６ｄの他端部から１５ｍｍ程度の位置から前記先端部６ｄまでを円弧状として、図７（ｂ）に示すように、前記上端部６ｂ及び前記下端部６ｃは、前記先端部６ｄの他端部から１５ｍｍ程度の位置から、前記先端部６ｄに向かって屈曲させるようにして、前記先端部６ｄを尖らせるように丸くして形成される。
また、前記突起物６ａは、前記上端部６ｂ及び前記下端部６ｃにおける屈曲させた側の平面部に、水着腰紐端部部材６の長さ方向に対して、夫々所定の間隔６．５ｍｍ程度を有して３箇所ずつ並列して、前記上端部６ｂ及び前記下端部６ｃにおける屈曲させた側の平面部と同一面になるように、前記上端部６ｂ及び前記下端部６ｃ内部に設けられている。
また、着用者に不快感がないように、各角部は丸くされている。
【００３８】
このようにして形成される図７に示す仕様例５の前記水着腰紐端部部材６は、前記競泳用水着４における前記腰紐２の端部２ａに一体成形される。
【００３９】
仕様例６として、図８に示す前記水着腰紐端部部材６は、長さ３８ｍｍ、上底８ｍｍ、下底１２ｍｍ、厚さ５ｍｍの外寸で、突起物６ａ、上端部６ｂ、下端部６ｃ及び先端部６ｄを有してなる略台形状のものである。
図８（ａ）に示すように、前記上端部６ｂは、前記先端部６ｄを下底、その他端部を上底とした略台形状からなるものである。前記下端部６ｃにおいても同様である。
また、図８（ｂ）に示すように、前記上端部６ｂ及び前記下端部６ｃは、他端部から前記先端部６ｄに向かって、前記先端部６ｄを尖らせるように丸くして形成される。
また、前記突起物６ａは、前記上端部６ｂ及び前記下端部６ｃの平面部に、水着腰紐端部部材６の長さ方向に対して、夫々所定の間隔８ｍｍ程度を有して４箇所ずつ並列して設けられている。また、図８（ａ）及び（ｂ）に示すように、前記突起物６ａは、前記先端部６ｄの下底から、その他端部の上底へ縮小しながら、相似形状をとる。
また、着用者に不快感がないように、各角部は丸くされている。
【００４０】
このようにして形成される図８に示す仕様例６の前記水着腰紐端部部材６は、前記競泳用水着４における前記腰紐２の端部２ａに一体成形される。
【００４１】
このように、様々な形態を有することができるが、同様の作用及び効果を奏するものである。また、前記競泳用水着４及び前記腰紐２の配色に伴い、前記水着腰紐端部部材６及び前記突起物６ａにおいても様々な配色を施すことができる。
【００４２】
また、いずれの仕様例においても、前記突起物６ａは、前記上端部６ｂ又は前記下端部６ｃの片面のみに設けることもできる。一方、前記突起物６ａは、前記上端部６ｂ及び前記下端部６ｃに設けなくてもよい。
【００４３】
このようにして、構成される前記競泳用水着４は、競泳の際に着用することで機能するものである。前記仕様例１における前記水着腰紐端部部材６を前記腰紐２に設けた場合の前記競泳用水着４を例にとり、以下、図９に基づいて説明する。
【００４４】
従来と同様にして、前記競泳用水着４を着用した後、腹部箇所に設けられた腰回り部４ａにおける開口部４ｂより挿通された前記腰紐２にて、ウエストサイズを調節する。
後に、図９に示すようにして、着用者の腹部中央にて、前記腰紐２をクロスさせて前記水着腰紐端部部材６の前記上端部６ｂ又は前記下端部６ｃを、着用者における腰骨７の外側近傍の肌に着接させて、前記競泳用水着４で狭装させて装着する。
【００４５】
このとき、前記水着腰紐端部部材６における前記上端部６ｂ及び前記下端部６ｃの上下の向きは問題としない。
また、前記突起物６ａを、前記水着腰紐端部部材６における前記上端部６ｂ又は前記下端部６ｃの片面のみに設けた場合は、前記突起物６ａの有する面を前記競泳用水着４の内側面に着接するようにすればよい。
【００４６】
本実施例によれば、従来と同様にして、前記競泳用水着４は着用者に装着されるが、前記水着腰紐端部部材６は、次のように作用するものである。
前記水着腰紐端部部材６における前記上端部６ｂ及び前記下端部６ｃに前記突起物６ａを設けているので、着用後にあっては、前記突起物６ａは着用者の前記腰骨７の外側近傍の肌及び前記競泳用水着の内側面に狭着されることになる。仮に、前記腰紐２を引っ張って抜こうとしても、狭着されている前記水着腰紐端部部材６における両面の平面部の前記突起物６ａが抵抗となってずれることはない。また、ずれることがあっても、前記水着腰紐端部部材６は前記腰骨７にて抑止され、抜けることはない。よって、前記水着腰紐端部部材６を常に適正な位置に取り付けることができる。
【００４７】
このようにして、前記水着腰紐端部部材６は作用し、常に適正な位置に取り付けることができ、また、塩化ビニル、ポリウレタン及びシリコーンゴム等の軟質樹脂から形成されているため、着用者における肌への接触感が悪い又はゴツゴツする等といった不快感もなくなる。
また、前記水着腰紐端部部材６は厚みも薄いため、従来の前記腰紐２に設けられていた前記丸結び部５よりも泳中の水への抵抗も減らすことができ、記録更新にもつながる。
更に、前記水着腰紐端部部材６は厚みも薄いため、従来の前記腰紐２に設けられていた前記丸結び部５よりも着用時における、前記競泳用水着４の意匠性も増すことができる。
【図面の簡単な説明】
【００４８】
【図１】従来の水泳パンツの背面斜視図である。
【図２】従来の競泳用水着を着用した時の説明図である。
【図３】本発明の実施例１における仕様例１の水着腰紐端部部材の（ａ）平面図、（ｂ）正面図である。
【図４】本発明の実施例１における仕様例２の水着腰紐端部部材の（ａ）平面図、（ｂ）正面図である。
【図５】本発明の実施例１における仕様例３の水着腰紐端部部材の（ａ）平面図、（ｂ）正面図である。
【図６】本発明の実施例１における仕様例４の水着腰紐端部部材の（ａ）平面図、（ｂ）正面図である
【図７】本発明の実施例１における仕様例５の水着腰紐端部部材の（ａ）平面図、（ｂ）正面図である
【図８】本発明の実施例１における仕様例６の水着腰紐端部部材の（ａ）平面図、（ｂ）正面図である
【図９】本願発明の水着腰紐端部部材を腰紐の端部に取りつけた競泳用水着を着用した時の説明図である。
【符号の説明】
【００４９】
１      水泳パンツ
１ａ    腰回り部
１ａ    開口部
２      腰紐
２ａ    端部
３      ゴムカバー部
４      競泳用水着
４ａ    腰回り部
４ｂ    開口部
５      丸結び部
６      水着腰紐端部部材
６ａ    突起部
６ｂ    上端部
６ｃ    下端部
６ｄ    先端部
６ｅ    斜辺部
７      腰骨
【図１】
0005121507.tif 000002
【図２】
0005121507.tif 000003
【図３】
0005121507.tif 000004
【図４】
0005121507.tif 000005
【図５】
0005121507.tif 000006
【図６】
0005121507.tif 000007
【図７】
0005121507.tif 000008
【図８】
0005121507.tif 000009
【図９】
0005121507.tif 000010